(57)【特許請求の範囲】
【請求項１】
ファイバケーブルを収納するケースと、上記ケースを覆うプレートと、上記ケースに形成されているボスと、上記ケースに収納されているファイバケーブルを押さえるケーブル押さえ部材とを備えたファイバ余長処理装置において、上記ケーブル押さえ部材のフランジに複数個の穴を設けるとともに、上記ボスを上記ケーブル押さえ部材のフランジに設けている複数個の穴のいずれかの穴に通すことを特徴とするファイバ余長処理装置。
【請求項２】
ケーブル押さえ部材のフランジに複数個の穴を回転対称に設けたことを特徴とする請求項１記載のファイバ余長処理装置。
【請求項３】
ケーブル押さえ部材を透明部材で構成することを特徴とする請求項１または請求項２記載のファイバ余長処理装置。
【発明の詳細な説明】
【０００１】
【発明の属する技術分野】
この発明は、光ファイバケーブルの余長を収納するファイバ余長処理装置に関するものである。
【０００２】
【従来の技術】
図５は従来の光海底中継器のファイバ余長処理装置を示す平面図であり、図６は図５のＡ−Ａ断面図、図７は図５のＢ−Ｂ断面図である。図において、１は光ファイバケーブル２を収納するケース、２は光ファイバケーブル、３〜６はケース１に形成されているファイバガイド、７はケース１に収納された光ファイバケーブル２を押さえるブッシュ（図８を参照）、７ａは丸型のフランジ、８はケース１に収納された光ファイバケーブル２を押さえるブッシュ（図９を参照）、８ａは細板型のフランジ、９はケース１を覆うプレート、１０は光ファイバケーブル２を外部に取り出す穴である。
【０００３】
次に動作について説明する。
光ファイバケーブル２の余長を処理する場合、図５に示すように、ケース１に形成されているファイバガイド３〜６に光ファイバケーブル２の余長部分を巻き付けることにより、光ファイバケーブル２の余長を処理する。
【０００４】
ただし、光ファイバケーブル２のはみ出しを防止するためにブッシュ７，８が設けられているので、光ファイバケーブル２がブッシュ７，８のフランジ７ａ，８ａの下を通るように余長部分を巻き付ける。
その後、ケース１の上にプレート９を載せて、プレート９をケース１に固定する。
【０００５】
【発明が解決しようとする課題】
従来の光海底中継器のファイバ余長処理装置は以上のように構成されているので、光ファイバケーブル２の余長を収納することができるが、ケース１の上にプレート９を載せる際、光ファイバケーブル２がファイバガイド３等とプレート９間に挟まれることがある課題があった。
【０００６】
この発明は上記のような課題を解決するためになされたもので、光ファイバケーブルの挟み込みを防止することができるファイバ余長処理装置を得ることを目的とする。
【０００７】
【課題を解決するための手段】
この発明に係る光海底中継器のファイバ余長処理装置は、ケーブル押さえ部材のフランジに複数個の穴を設けるとともに、ケースに形成されているボスをケーブル押さえ部材のフランジに設けている複数個の穴のいずれかの穴に通すようにしたものである。
【０００８】
この発明に係るファイバ余長処理装置は、ケーブル押さえ部材のフランジに複数個の穴を回転対称に設けたものである。
【０００９】
この発明に係るファイバ余長処理装置は、フランジに穴が設けられているケーブル押さえ部材を透明部材で構成するようにしたものである。
【００１４】
【発明の実施の形態】
以下、この発明の実施の一形態を説明する。
実施の形態１．
図１はこの発明の実施の形態１による光海底中継器のファイバ余長処理装置を示す平面図であり、図２は図１のＣ−Ｃ断面図である。図において、１１は光ファイバケーブル１２を収納するケース、１２は光ファイバケーブル、１３〜１６はケース１１に形成されているファイバガイド、１７はケース１１に収納された光ファイバケーブル１２を押さえるケーブル押さえ部材であるブッシュ（図３を参照）、１７ａはブッシュ１７のフランジ、１７ｂはフランジ１７ａに回転対称に設けられた穴、１８はケース１１を覆うプレート、１９はケース１１の穴２０から外部に取り出された光ファイバケーブル１２を固定するクランプ、２０は光ファイバケーブル１２を外部に取り出す穴、２１はケース１１に形成されているボスである。
図４はこの発明の実施の形態１による余長処理方法を示すフローチャートである。
【００１５】
次に動作について説明する。
光ファイバケーブル１２の余長を処理する場合、図１に示すように、ケース１１に形成されているファイバガイド１３〜１６に光ファイバケーブル１２の余長部分を巻き付けることにより、光ファイバケーブル１２の余長を処理する。
【００１６】
ただし、光ファイバケーブル１２のはみ出しを防止するためにブッシュ１７が設けられているので（複数のブッシュ１７のうち、一部のブッシュ１７は、ケースに形成されているボス２１の存在をかわすため、ボス２１をブッシュ１７のフランジ１７ａに設けられた穴１７ｂに通すようにして設置する）、光ファイバケーブル１２がブッシュ１７のフランジ１７ａの下を通るように余長部分を巻き付ける（ステップＳＴ１）。
【００１７】
その際、ブッシュ１７のフランジ１７ａに設けられている穴１７ｂ越しに光ファイバケーブル１２を目視して、光ファイバケーブル１２に対するファイバガイド１３〜１６の支持状態を確認する（ステップＳＴ２）。即ち、光ファイバケーブル１２がファイバガイド１３〜１６に乗り上げていないかどうかを確認する。
【００１８】
光ファイバケーブル１２がファイバガイド１３〜１６に乗り上げていないことを確認すると、ケース１１の上にプレート１８を載せて、プレート１８をケース１１に固定する（ステップＳＴ４）。ただし、光ファイバケーブル１２が乗り上げている場合には、その乗り上げ部分を下に降ろしてから、ケース１１の上にプレート１８を載せて、プレート１８をケース１１に固定する（ステップＳＴ３，ＳＴ４）。
【００１９】
以上で明らかなように、この実施の形態１によれば、ブッシュ１７のフランジ１７ａに穴１７ｂを設けるように構成したので、光ファイバケーブル１２がファイバガイド１３〜１６に乗り上げていないかどうかを確認することができる。したがって、光ファイバケーブル１２の挟み込みを防止することができる効果を奏する。
【００２０】
実施の形態２．
上記実施の形態１では、ブッシュ１７のフランジ１７ａに穴１７ｂを設けて、穴越しに光ファイバケーブル１２を目視するものについて示したが、ブッシュ１７を透明部材（例えば、透明なプラスチック）で構成し、ブッシュ越しに光ファイバケーブル１２を目視するようにしてもよく、上記実施の形態１と同様の効果を奏することができる。
なお、透明部材で構成されたブッシュ１７のフランジ１７ａに穴１７ｂを設けてもよい。
【００２１】
【発明の効果】
以上のように、この発明によれば、ケーブル押さえ部材のフランジに複数個の穴を設けるとともに、ケースに形成されているボスをケーブル押さえ部材のフランジに設けている複数個の穴のいずれかの穴に通すように構成したので、光ファイバケーブルの挟み込みを防止することができるとともに、ボスの位置をずらすことなく、任意の位置にケーブル押さえ部材を設置することができる効果がある。
【００２２】
この発明によれば、ケーブル押さえ部材のフランジに複数個の穴を回転対称に設けるように構成したので、確実にファイバガイドへの乗り上げを見つけることができる効果がある。
【００２３】
この発明によれば、フランジに穴が設けられているケーブル押さえ部材を透明部材で構成するようにしたので、光ファイバケーブルの挟み込みを防止することができる効果がある。
【図面の簡単な説明】
【図１】  この発明の実施の形態１による光海底中継器のファイバ余長処理装置を示す平面図である。
【図２】  図１のＣ−Ｃ断面図である。
【図３】  ブッシュ１７を示す斜視図である。
【図４】  この発明の実施の形態１による余長処理方法を示すフローチャートである。
【図５】  従来の光海底中継器のファイバ余長処理装置を示す平面図である。
【図６】  図５のＡ−Ａ断面図である。
【図７】  図５のＢ−Ｂ断面図である。
【図８】  ブッシュ７を示す斜視図である。
【図９】  ブッシュ８を示す斜視図である。
【符号の説明】
１１  ケース、１２  光ファイバケーブル、１３〜１６  ファイバガイド、１７  ブッシュ、１７ａ  フランジ、１７ｂ  穴、１８  プレート、１９  クランプ、２０  穴、２１  ボス。
【図１】
0003929715.tif 000002
【図２】
0003929715.tif 000003
【図３】
0003929715.tif 000004
【図４】
0003929715.tif 000005
【図５】
0003929715.tif 000006
【図６】
0003929715.tif 000007
【図７】
0003929715.tif 000008
【図８】
0003929715.tif 000009
【図９】
0003929715.tif 000010